(57)【要約】【課題】  充填ガスにより液体を噴霧するエアゾール缶は、その使用終了後、廃棄のために残留するガスを抜くことが必要であるが噴霧ボタンを手で押し続けることは困難であり、缶に孔を明けることも容易ではない。【解決手段】  エアゾール缶の上端外周巻き締め部に係合手段４を介して着脱自在に嵌合するキャップ１０において、該キャップの天板１ｂのほぼ中央に弱化線１ａを周回状に刻設し、その弱化線に囲まれた天板中央部２ａの裏面に押下げ用突起２ｂを突設する。また、内径がその弱化線により切断される天板中央部の外径と同じ径のガイド筒３を軸方向に三分割した状態で該天板１ｂの裏面から下垂し、該ガイド筒の内面に一以上の突条３ｂを周設する。このように弱化線を破断分離し、押圧部２をガイド筒内に降下させ、突条３ｂに係合させたキャップをエアゾール缶に嵌合すると噴射ボタンが押し続けられる。 【選択図】      図４
2007216995.tif 000002
【特許請求の範囲】
【請求項１】
頂壁（１２）を貫通し上方付勢状態で突出するノズル付き噴射ボタン（１３）を下方に押圧することにより該容器に充填された気体、液体或いは発泡液体を噴射するエアゾール缶（１１）の上端外周の巻き締め部（１１ａ）に係合手段（４）を介して着脱自在に嵌合するキャップ（１０）において、該キャップの天板（１ｂ）のほぼ中央に弱化線（１ａ）を周回状に刻設し、その弱化線（１ａ）に囲まれた天板中央部（２ａ）の裏面にスリット（３ａ）により軸方向に複数分割されたガイド筒（３）を下垂形成すると共に、該ガイド筒（３）の内面に１以上の突条（３ｂ）、（３ｂ）を周設することによって一ないし複数の係合溝（３ｃ）を周設したプラスチックの一体成形品であることを特徴とするエアゾール缶のキャップ。
【発明の詳細な説明】
【技術分野】
【０００１】
本発明は、エアゾール缶の上面を被覆するキャップに関する。
【背景技術】
【０００２】
エアゾール缶は充填された液体等をガス圧によって吐出するものであるが、内容液が殆どないし全く無くなった時点においてもガスが残留することがしばしばあり、この状態で焼却されると爆発する危険があることから、その投棄においては内部ガスを完全に抜き去さることが望まれている。しかし、この残留ガスを完全に抜くためにはノズル付き押しボタンを長時間に亘り押さえ続けることが必要で、これを手動で行なうことは非常に困難な作業であり、従来は該エアゾール缶に穴をあけていたが感じたいが硬く困難であった。これを簡易化するためのものとしてキャップに押下げ突起を設けるアイデアが多く提案されている。
【０００３】
例えばその１として、エアゾール缶１１の噴射ボタン１３を押し付け拘束するボタンキャップ２０を下降可能にガイドする筒部１４を備えたエアゾール缶用カバーキャップ１０と、周面部の下端部にマウンティングカップ７の巻締め部７ａに係合する係合部７７ａ、７７ｂとが形成し、その周面部にＬ字形のロック溝２５又はこのロック溝に係入する係合ピン１５が形成されたボタンキャップ２０との組合せになり、且つ、前記のガイド用筒部１４にも係合ピン又はロック溝が形成され、これらが係合することにより前記ボタンキャップの下降をロックして通常のキャップとして、また、アンロック状態でボタンキャップ２０が押下げ操作されると、噴射ボタンを押下げ操作位置に拘束するようにしたキャップがある（図５）。
【０００４】
その２はキャップの天板に、一部を残して除去帯１４を周設して、該除去帯が囲む天板部分を押下げ板１７に形成すると共に、該押下げ板内面から円筒状の係合板１８を垂設し、これら押下げ板と係合板とでヘッド押下げ部を形成させ、前記の除去帯を除去して押下げ板を押下げることにより，係合板１８下端部がエアゾール容器１１の隆起部にある係合溝７に嵌合し、押下げ板を噴射ボタン押下げ位置に保持する構成のもので、該係合板にはさらにその側面にガス抜き口が開設されている（図６）。
【０００５】
【特許文献１】特開２００３−３２７２８４号公報
【特許文献１】特開２００３−０４０３６９号公報
【発明の開示】
【発明が解決しようとする課題】
【０００６】
従来例その１において、カバーキャップとボタンキャップは何れもプラスチック成形品であるが、別体として成形しており、且つ、該ボタンキャップはカバーキャップのガイド用筒部にそれぞれの係合ピンとロック溝を係合させながら嵌合挿着するという組立製品であって、必然的にコストが高くなることが問題であった。
【０００７】
また、前記従来例その２は、キャップの天板に形成した除去帯を天板の一部（ヒンジとなるべき部分）を残して引きちぎり、該残留部を支点とし、且つ歪曲させて天板中央部（ヘッド押下げ部）を降下させるものであるが、決して大きくはないキャップ天板部においてその除去帯の一端を把持してこれを引きちぎり破断することは比較的困難な作業であり、また、ヘッド押下げ部はヒンジを支点として下降するので、エアゾール容器の隆起部との係合においてセンタずれの問題が生じるなど、使い勝手が必ずしもよくはなかった。
【課題を解決するための手段】
【０００８】
前記の課題を解決するため、本発明は、頂壁１２を貫通し上方付勢状態で突出する噴射ボタン１３を下方に押圧することにより該容器に充填された気体、液体或いは発泡液体を噴射するエアゾール缶１１の上端外周巻き締め部１１ａに係合手段４を介して着脱自在に嵌合するキャップ１０において、該キャップ天板１ｂの裏面または表面ほぼ中央に弱化線１ａを周回状に刻設し、その弱化線１ａに囲まれた天板中央部２ａの裏面にスリット３ａ，３ａにより軸方向に複数分割されたガイド筒３を下垂形成すると共に、該ガイド筒３の内面に一以上の突条３ｂ、３ｂを周設することによって一ないし複数の係合溝３ｃ、３ｃを周設構成したもので、前記の弱化線切断により分離した押圧部２は所定位置まで摺動降下され所定位置に保持されるものとした。
【発明の効果】
【０００９】
すなわち、このキャップ１０は、その係合手段４をもってエアゾール缶１１に嵌合させ状態で、前記のようにその天板中央部２ａを押圧して弱化線１ａを切断し、その天板中央部２ａと押下げ用突起２ｂとからなる押圧部２をガイド筒３内に摺動降下させ、押下げ用突起２ｂが該エアゾール缶の噴射ボタン１３に当接し、さらに残留ガスが噴霧する状態まで押下げられる。この状態で、該天板部分２ａの外周縁を前記周回溝３ｃに係合させ、突条３ｂによって上昇が妨げられる。これによって、エアゾール缶内残留ガスの噴射状態が保持され、その状態で放置すればやがて残留ガスがなくなり、該エアゾール缶は安全に投棄するに適した状態になる。
【発明を実施するための最良の形態】
【００１０】
エアゾール缶１１に嵌合されるキャップ１０は、キャップ本体１と円周状弱化線１ａを形成することによって分離可能な天板中央部２ａとを一体的にプラスチック成形したものであり、且つ、このキャップ１０には、その本体部１の天板裏面に前記弱化線１ａの内径とほぼ同径の内径を有する円筒状のガイド筒３を軸方向に三本のスリット３ａ，３ａ，３ａによって三分割された状態で下垂形成されると共に、その内周に一ないし数条の円周状突条３ｂ，３ｂを周設してその突条３ｂ，３ｂ間を係合溝３ｃ、３ｃとしている。一方、前記弱化線１ａにより囲まれた天板中央部２ａにはその裏面に押下げ用突起２ｂが形成された構造になるもので、前記弱化線１ａを破断してその内周側の天板中央部２ａを押下げ、前記ガイド筒３内を摺動させて、該キャップがエアゾール缶に嵌合した状態でエアゾール缶の噴射ノズルを押圧する位置にまで降下させ、そこで前記係合溝３ｃに係合する構造にする。前記、三本のスリット３ａ，３ａ，３ａは前記天板中央部２ａがガイド筒３内を容易に摺動降下するための弾性付与手段であると共にガスの排出口でもあるので、３本に限ることはない。
【実施例】
【００１１】
本発明を、図面を参照して説明する。図１は本発明に係るキャップの部分断面図、図２はその底面図、図3はそのキャップがエアゾール缶に嵌合した状態を示す断面図、図４は該キャップによりエアゾール缶のノズル付き噴射ボタンを押下げた状態を示した断面図、図５、図６は参考までに示した従来例である。
【００１２】
図１のキャップ本体1は、図３に示すように、その下端内縁に形成する溝などの係合手段４によってエアゾール缶１１の筒状体最上部に形成された巻き締め部１１ａに嵌合せしめ、取り付けるもので、その本体部１の天板部分ほぼ中央に弱化線１ａ（薄肉状部）を該表面側（図１）または裏面側（図３、図４）に周回状に刻設形成したもので、さらに、この弱化線１ａに囲まれた部分、すなわち、天板中央部２ａの裏面側に押下げ用突起２ｂを垂下したもの（以下において、この天板中央部２ａと押下げ用突起２ｂ部とを纏めて「押圧部２ｃ」ということがある。）であり、さらに、前記本体側天板１ｂの裏面にはその弱化線１ａの切断によって分離する天板中央部２ａの外径とほぼ同じ内径を有するガイド筒３が軸方向に一ないし複数本のスリット３ａ，３ａ，３ａを等間隔に設けて垂下形成されると共に、該ガイド筒３の内面に一ないし複数条の突条３ｂ、３ｂを周設してその突条間を係合溝３ｃ、３ｃとしている。しかも、これらは硬質または半硬質のプラスチックで一体に成形されている。
【００１３】
前記、ガイド筒３の内面に形成する突条３ｂは、係合溝３ｃに係合する天板中央部２ａの外周縁が下方には押圧により摺動移動し、逆方向すなわち上方にはスライドしにくいように上面側は傾斜し、下面側はほとんど傾斜ゼロ、すなわち、ガイド筒３の壁面に対して直角に近い角度（図３、図４参照）に形成することが望ましい。
【００１４】
以上の構成になる本案キャップについて、その使用方法を説明する。エアゾール缶１１に内溶液が残存する間は、該キャップ１０を通常通り、すなわち、図３に示すように弱化線を破断しない状態で使用することは勿論である。
【００１５】
そして、エアゾール缶の内容液がなくなった後、投棄に際して行なうべきガス抜き方法を説明する。上記のキャップ１をその係合手段４をもってエアゾール缶１１に予め嵌合しておき、前記弱化線１ａに囲まれた天板中央部２ａを下方向に強く押圧Ｐする。これによって弱化線１ａは破断し、その弱化線１ａに囲まれた天板中央部２ａが前記ガイド筒３内を摺動降下する。そして、その裏面に垂設形成された押下げ用突起２ｂがエアゾール缶１１側の噴射ボタン１３に当接する。さらに、残留ガスが噴霧するまでその天板中央部２ａを押下げてその外周縁を前記係合溝３ｃに係合させる（図４）。これによって噴射ボタン１３は噴霧状態の位置に保持され、したがって、そのまま放置することによって残留ガスは完全に放出される。なお、これにより噴出するガスはガイド筒３の壁面に形成したスリット３ａを通ってキャップの外に排出される。
【００１６】
前記の説明では、本案キャップをエアゾール缶に嵌合した状態で弱化線１ａを破断するものとしたが、エアゾール缶に嵌合させていない状態において、前記同様に弱化線１ａに囲まれた天板中央部２ａ部分を下方に強く押圧して破断し、その押圧部２を前記円筒体３内に摺動降下させ、その裏面に垂設形成した押下げ用突起２ｂがノズル付き噴射ボタン１３に当接する位置にまで押下げ、その後、該キャップをエアゾール缶に嵌合させても良いことは勿論である。
【産業上の利用可能性】
【００１７】
前記の天板部分１ｂ裏面に形成したガイド筒３には１本以上複数本の突条を形成して、その間に複数条の係合溝３ｃを形成したことにより、弱化線１ａの破断により分離した押圧部２はその溝の段数に応じて降下量を選択できることになる。したがって、ノズル付き噴射ボタン１３の高低差のあるエアゾール缶においても共用できることになる。
【図面の簡単な説明】
【００１８】
【図１】本発明に係るキャップを一部断面で示した正面図である。
【図２】図１のキャップの底面図である。
【図３】図１のキャップをエアゾール缶に嵌合した状態を示す中央断面図である。
【図４】図３のキャップの天板中央部を弱化線で分離して下降させ、エアゾール缶の噴霧ノズルに当接し、さらにこれを押下げた状態を示す中央断面図である。
【図５】従来例の１を示す参考図である。
【図６】従来例の２１を示す参考図である。
【００１９】
１  キャップ本体
１ａ  弱化線
１ｂ  天板
２    押圧部
２ａ  天板中央部
２ｂ  押下げ用突起
３  ガイド筒
３ａ，３ａ，３ａ  スリット
３ｂ  突条
３ｃ  係合溝
４  係合手段
１０  キャップ
１１  エアゾール缶
１１ａ  巻き締め部
１２  頂壁  
１３  噴射ボタン
【図１】
2007216995.tif 000003
【図２】
2007216995.tif 000004
【図３】
2007216995.tif 000005
【図４】
2007216995.tif 000006
【図５】
2007216995.tif 000007
【図６】
2007216995.tif 000008